(57)【要約】【課題】薄い壁であったとしても、できるだけ多くの物品を収納することができる壁面収容ボックスを提供すること。【解決手段】壁面収容ボックス１は、背面が壁面内に埋め込まれ、かつ前面が壁面外に突出して設置される箱体２と、箱体２の側面に設けられた軸受１３，１４を中心に、箱体２を軸９，１０によって回動可能に保持する枠体３とを備える。軸受１３，１４は、箱部材１２の底面まで形成されているので、軸９，１０は、箱体２から抜くことができる。箱体２には、防災用具や救急用品、貴重品等が収容される。非常時には、箱体２を枠体３から抜き取って、箱体２を持ち出すことができる。【選択図】図２
2010265615.tif 000002
【特許請求の範囲】
【請求項１】
背面が壁面内に埋め込まれ、かつ前面が壁面外に突出して設置される箱体と、
前記箱体の側面の少なくとも一点を中心に、前記箱体を回動可能に保持する枠体とを備える、壁面収納ボックス。
【請求項２】
前記箱体は、側面に少なくとも一つの軸受を含み、
前記枠体は、前記少なくとも一つの軸受に挿入される少なくとも一つの軸を含むことを特徴とする、請求項１に記載の壁面収納ボックス。
【請求項３】
前記少なくとも一つの軸受は、前記軸が前記箱体から抜けるように、前記側面から前記箱体の底面の一部にまで形成されている孔又は溝であることを特徴とする、請求項２に記載の壁面収納ボックス。
【請求項４】
前記少なくとも一つの軸受は、前記側面において、折れ曲がった孔又は溝であることを特徴とする、請求項３に記載の壁面収納ボックス。
【請求項５】
前記壁は、前記箱体よりも大きな開口部を有し、
前記箱体の背面は、前記開口部に埋め込まれ、
前記箱体は、前記枠体で囲われている以外の部分に、前記枠体と連続するような形状を有する幅部材を含み、
前記枠体及び前記幅部材は、前記開口部と前記箱体との上下の間隙を、真正面から視認できないような幅を有して配置されていることを特徴とする、請求項１〜４のいずれかに記載の壁面収納ボックス。
【請求項６】
前記箱体は、前記枠体で囲われている以外の部分に、前記枠体と連続するような形状を有する幅部材を含み、
前記幅部材は、指掛け手段を有することを特徴とする、請求項１〜４のいずれかに記載の壁面収納ボックス。
【請求項７】
前記箱体は、前記枠体で囲われている以外の部分に、前記枠体と連続するような形状を有する幅部材を含み、
前記幅部材は、前記壁との間で間隙を有するように、前記箱体に設けられていることを特徴とする、請求項１〜４のいずれかに記載の壁面収納ボックス。
【請求項８】
前記箱体は、前記枠体で囲われている以外の部分に、前記枠体と連続するような形状を有する幅部材を含み、
前記幅部材と前記枠体とが近接する部分の間隙は、前記幅部材又は前記枠体の内側に設けられた目隠し部によって、覆い隠されていることを特徴とする、請求項１〜４のいずれかに記載の壁面収納ボックス。
【請求項９】
前記目隠し部は、少なくとも一部に、磁石又は金属を有し、
前記幅部材又は前記枠体は、磁石又は金属を前記目隠し部に対応する部分に有することを特徴とする、請求項８に記載の壁面収納ボックス。
【請求項１０】
前記幅部材及び前記枠体によって連続して形成される形状は、額縁形状であることを特徴とする請求項５〜９のいずれかに記載の壁面収納ボックス。
【請求項１１】
前記幅部材及び／又は前記枠体は、蓄光部を含むことを特徴とする、請求項５〜８のいずれかに記載の壁面収納ボックス。
【請求項１２】
前記箱体及び／又は前記枠体は、蓄光部を含むことを特徴とする、請求項１〜１０のいずれかに記載の壁面収納ボックス。
【請求項１３】
前記壁は、前記箱体よりも大きな開口部を有し、
前記開口部は、前記箱体を回動中心に回動させたときの最大軌道よりも大きいことを特徴とする、請求項１〜１２のいずれかに記載の壁面収納ボックス。
【請求項１４】
前記箱体の前面下部端は、丸みを帯びていることを特徴とする、請求項１３に記載の壁面収納ボックス。
【請求項１５】
前記箱体は、前面に、紙片が挿入可能な紙片挿入手段を有することを特徴とする、請求項１〜１４のいずれかに記載の壁面収納ボックス。
【請求項１６】
前記箱体は、蓋部を有することを特徴とする、請求項１〜１５のいずれかに記載の壁面収納ボックス。
【請求項１７】
前記箱体は、前面に幅部材を有し、
前記幅部材は、突出していることを特徴とする、請求項１〜１６のいずれかに記載の壁面収納ボックス。
【請求項１８】
前記箱体は、内側に、紙片が挿入可能な紙片挿入手段を有することを特徴とする、請求項１〜１７のいずれかに記載の壁面収納ボックス。
【請求項１９】
前記枠体は、背面にボックス部を有することを特徴とする、請求項１〜１８のいずれかに記載の壁面収納ボックス。
【請求項２０】
前記箱体は、前面に幅部材を有し、
前記枠体は、前記幅部材の裏面に枠部材を有し、
前記幅部材と枠部材とは、錠部によって、施錠可能であり、
前記ボックス部は、壁面内の柱に固定されることを特徴とする、請求項１９に記載の壁面収納ボックス。
【発明の詳細な説明】
【技術分野】
【０００１】
本発明は、壁面に防災用具や救急用具、非常用具、貴重品などの物品を収容可能な箱状の壁面収容ボックスに関する。
【背景技術】
【０００２】
消火器や懐中電灯、携帯ラジオ等の防災用具は、玄関の棚等に収容されることが多い。しかし、マンション等の玄関は狭く、防災用具を収納するスペースを確保することが困難である。上記問題を解決するために、特許文献１及び２に示すような壁面埋め込みタイプの収納箱が提案されている。
【先行技術文献】
【特許文献】
【０００３】
【特許文献１】特開２００５−２９６５７９号公報
【特許文献２】特開２００８−６３９３４号公報
【０００４】
特許文献１に記載されている壁埋め込み型常設防災用収納箱は、防災用具の常備収納手段として、間仕切壁面に埋め込み型収納箱を設置するものである。上記手法により、壁を有効利用して防災用具を収納することができる。
【０００５】
特許文献２に記載されている壁埋め込み収納ボックスは、正面開口部と、蓋体と、拡張ボックスとを備え、見栄えが良くかつ多くの収納スペースを確保することができる。
【発明の概要】
【発明が解決しようとする課題】
【０００６】
特許文献１に示されるような収納箱は、壁面内に完全に埋め込まれてしまう。しかし、壁面内の幅が５０ｍｍ程度しか存在しない住宅では、当該収納箱には限られたサイズの物品しか収納できない。
【０００７】
特許文献２に示されるような収納箱あったとしても、壁面内に拡張ボックスを挿入しなければならない。したがって、壁面内の幅が５０ｍｍ程度しか存在しない住宅では、当該収納箱には限られたサイズの物品しか収納できない。
【０００８】
集合住宅、特に、賃貸集合住宅の場合、壁が薄い場合が多い。壁が薄い集合住宅の場合、壁面内の幅が５０ｍｍ程度であることがある。そのため、このような薄い壁であったとしても、できるだけ多くの物品を収納可能な収納箱が提供されるべきである。
【０００９】
それゆえ、本発明の目的は、薄い壁であったとしても、できるだけ多くの物品を収納することができる壁面収容ボックスを提供することである。
【課題を解決するための手段】
【００１０】
上記課題を解決するために、本発明は、以下のような特徴を有する。本発明は、背面が壁面内に埋め込まれ、かつ前面が壁面外に突出して設置される箱体と、箱体の側面の少なくとも一点を中心に、箱体を回動可能に保持する枠体とを備える、壁面収納ボックスである。
【００１１】
好ましくは、箱体は、側面に少なくとも一つの軸受を含み、枠体は、少なくとも一つの軸受に挿入される少なくとも一つの軸を含むと良い。
【００１２】
好ましくは、少なくとも一つの軸受は、軸が箱体から抜けるように、側面から箱体の底面の一部にまで形成されている孔又は溝であると良い。
【００１３】
好ましくは、少なくとも一つの軸受は、側面において、折れ曲がった孔又は溝であると良い。
【００１４】
好ましくは、壁は、箱体よりも大きな開口部を有し、箱体の背面は、開口部に埋め込まれ、箱体は、枠体で囲われている以外の部分に、枠体と連続するような形状を有する幅部材を含み、枠体及び幅部材は、開口部と箱体との上下の間隙を、真正面から視認できないような幅を有して配置されていると良い。
【００１５】
好ましくは、箱体は、枠体で囲われている以外の部分に、枠体と連続するような形状を有する幅部材を含み、幅部材は、指掛け手段を有すると良い。
【００１６】
好ましくは、箱体は、枠体で囲われている以外の部分に、枠体と連続するような形状を有する幅部材を含み、幅部材は、壁との間で間隙を有するように、箱体に設けられていると良い。
【００１７】
好ましくは、箱体は、枠体で囲われている以外の部分に、枠体と連続するような形状を有する幅部材を含み、幅部材と枠体とが近接する部分の間隙は、幅部材又は枠体の内側に設けられた目隠し部によって、覆い隠されていると良い。
【００１８】
好ましくは、目隠し部は、少なくとも一部に、磁石又は金属を有し、幅部材又は枠体は、磁石又は金属を目隠し部に対応する部分に有すると良い。
【００１９】
好ましくは、幅部材及び枠体によって連続して形成される形状は、額縁形状であると良い。
【００２０】
好ましくは、幅部材及び／又は枠体は、蓄光部を含むと良い。
【００２１】
好ましくは、箱体及び／又は枠体は、蓄光部を含むと良い。
【００２２】
好ましくは、壁は、箱体よりも大きな開口部を有し、開口部は、箱体を回動中心に回動させたときの最大軌道よりも大きいと良い。
【００２３】
好ましくは、箱体の前面下部端は、丸みを帯びていると良い。
【００２４】
好ましくは、箱体は、前面に、紙片が挿入可能な紙片挿入手段を有すると良い。
【００２５】
好ましくは、箱体は、蓋部を有すると良い。
【００２６】
好ましくは、箱体は、前面に幅部材を有し、幅部材は、突出していると良い。
【００２７】
好ましくは、箱体は、内側に、紙片が挿入可能な紙片挿入手段を有すると良い。
【００２８】
好ましくは、枠体は、背面にボックス部を有すると良い。
【００２９】
好ましくは、箱体は、前面に幅部材を有し、枠体は、幅部材の裏面に枠部材を有し、幅部材と枠部材とは、錠部によって、施錠可能であり、ボックス部は、壁面内の柱に固定されると良い。
【発明の効果】
【００３０】
本発明によれば、箱体は、背面が壁面に埋め込まれ、前面が壁面外に突出して設置される。したがって、壁面内の幅が狭いような場合であったとしても、壁面外に突出している部分だけ容量を確保することができる。よって、薄い壁であったとしても、できるだけ多くの物品を収納することができる壁面収納ボックスが提供されることとなる。
【００３１】
軸受と軸を用いることによって、簡易な構成で、箱体を回動可能に枠体に保持することができる。軸受を箱体に形成された孔又は溝として、軸が箱体から抜けるようにすることによって、箱体を枠体から簡易な構成で外すことができる。外した箱体には、物品が収容される。また、外した箱体を非常時に、そのまま持ち出すことができる。箱体に箱体に設けられている幅部材は、箱体をそのまま持ち出す際の取っ手となる。軸受を折れ曲がった孔又は溝にした場合、軸を折れ曲がりの先端で保持することができる。これにより、箱体が重力によって回動したり、落ちたりするのが防止される。
【００３２】
幅部材と枠体とを連続するような形状（たとえば、額縁形状）にすることによって、見栄えの良い壁面収容ボックスが提供される。枠体及び幅部材によって、壁の開口部を視認できないように隠せば、さらに、見栄えの良い壁面収容ボックスが提供されることとなる。
【００３３】
幅部材に指掛け手段を設けることによって、箱体の回動が容易となる。また、幅部材と壁との間に間隙が設けられることによっても、箱体の回動が容易となる。
【００３４】
目隠し部を設けることによって、幅部材と枠体との間にできる隙間を目立たなくすることができる。これにより、さらに見栄えの良い壁面収容ボックスが提供される。目隠し部と箱体又は枠体とを磁力によって吸着させれば、箱体が重力によって自然に回動するのを防止することができる。
【００３５】
幅部材、枠体、又は箱体が蓄光部を含めば、暗がりでも壁面収容ボックスの位置を視認することができ、非常時に、箱体を取り出すことが容易となる。
【００３６】
壁に設けられる開口部を、箱体の最大軌道よりも大きくすることによって、箱体が壁面に当たることが防止される。箱体の前面下部端を丸くしておけば、最大軌道をできる限り小さくでき、結果、箱体をできる限り大きくすることができる。
【００３７】
箱体の前面に紙片挿入手段を設けることによって、インテリアとして利用可能な壁面収容ボックスが提供される。
【００３８】
箱体に蓋部を設けることによって、箱体の持ち出し時に、中身を紛失することを防止できる。幅部材を突出させることによって、箱体の持ち出しが容易となる。箱体の内側に紙片挿入手段を設けることによって、保険証やお金などを箱体内に紛失しにくい状態で収容することができる。
【００３９】
枠体の背面にボックス部を設け、ボックス部を壁面内の柱に固定し、錠部で箱体と枠体とを固定することによって、金庫やセキュリティボックス、セーフティボックスとして、壁面収納ボックスが機能する。
【００４０】
本発明のこれらおよび他の目的、特徴、局面、効果は、添付図面と照合して、以下の詳細な説明から一層明らかになるであろう。
【図面の簡単な説明】
【００４１】
【図１】図１は、本発明の一実施形態に係る壁面収容ボックス１の斜視図である。
【図２】図２は、壁面収納ボックス１の分解斜視図である。
【図３】図３は、壁面収容ボックス１の正面図である。
【図４】図４は、壁面収容ボックス１の背面図である。
【図５】図５は、壁面収容ボックス１の平面図である。
【図６】図６は、壁面収納ボックス１の底面図である。
【図７】図７は、壁面収納ボックス1の左側面図である。
【図８】図８は、図３におけるＡ−Ａ線断面図である。
【図９】図９は、壁面収容ボックス１が壁面に設置される様子を示す断面図である。
【図１０】図１０は、箱体２を手前に引いたときの様子を示す断面図
【図１１】図１１は、箱体２をさらに手前に引いたときの様子を示す断面図である。
【図１２】図１２は、紙片挿入手段を設けたときの断面図である。
【図１３】図１３は、丸み部１２ｃを形成したときの断面図である。
【図１４】図１４は、箱体２の変形例を示す断面図である。
【図１５】図１５は、本発明の他の実施形態に係る壁面収納ボックス１ａの分解斜視図である。
【発明を実施するための形態】
【００４２】
図１は、本発明の一実施形態に係る壁面収容ボックス１の斜視図である。図２は、壁面収納ボックス１の分解斜視図である。図３は、壁面収容ボックス１の正面図である。図４は、壁面収容ボックス１の背面図である。図５は、壁面収容ボックス１の平面図である。図６は、壁面収納ボックス１の底面図である。図７は、壁面収納ボックス1の左側面図である。図８は、図３におけるＡ−Ａ線断面図である。
【００４３】
図１及び図２に示すように、壁面収容ボックス１は、箱体２と、枠体３とを備える。図２に示すように、枠体３は、壁面１６，１７に設けられた開口部の外周で壁に固定される。軸９，１０を軸受１３，１４に挿入して、箱体２が枠体３に孔１３，１４を中心に回動可能に保持される。
【００４４】
箱体２は、幅部材１１と、箱部材１２とを備える。箱部材１２は、下部に、軸受１３，１４を有する。軸受１３，１４は、箱部材１２の左右側面下部から底面の一部にまで形成されたＬ字状の孔である。軸受１３，１４は底面の一部にまで穿孔されているので、箱体２は、軸９，１０に挿したり抜いたりすることができる。図７及び図８に示すように、軸９，１０は、軸受１３，１４の折れ曲がった先まで挿入される。これにより、図５〜８に示すように、箱体１２は、枠体３から一段壁側に入って、枠体３に回動可能に保持される。
【００４５】
図４に示すように、箱部材１２は、上端に、くさび状部材１２ａ，１２ｂを有する。くさび状部材１２ａ，１２ｂに、幅部材１１が接合している。図３及び図８に示すように、幅部材１１は、箱部材１２の上部前端において、箱部材１２から少し迫り出している。これにより、箱体１２が一段壁側に入って配置されたとしても、図３に示すように、幅部材１１と枠体１２とは、連続するような額縁の外枠の形状を有することになる。幅部材１１は、壁面の開口部が正面から視認できないような幅を有する（後述の図９参照）。幅部材１１は、上端辺に突出部２１を有する。突出部２１及び／又は幅部材１１の迫り出し部分を指でつかんで箱体２を手前に引けば、軸９，１０を中心に、箱体２が回動する。
【００４６】
図３、図４、図７、及び図８に示すように、枠体３と箱部材１２の底面とは、所定の間隙１５を有する。間隙１５は、軸９，１０を中心に箱体２が回動した場合、箱体２の前端部が枠体３に当たらない程度の大きさを有する。
【００４７】
枠体３は、左枠部材４と、右枠部材６と、下枠部材５とを備える。軸９は、左枠部材４から突出している。軸１０は、右枠部材６から突出している。左枠部材４、右枠部材６、及び下枠部材５は、コの字状に形成されている。下枠部材５の左右端は、それぞれ、左枠部材４、及び右枠部材６の下端面と略一致する。下枠部材５は、間隙１５が正面から視認できないように、上部に延伸している（後述の図９参照）。左枠部材４の上端面は、幅部材１１の左端面と略一致する。右枠部材６の上端面は、幅部材１１の右端面と略一致する。これにより、幅部材１１と枠体１２とは、連続するような額縁の外枠の形状を有することになる。
【００４８】
なお、幅部材１１と左枠部材４及び右枠部材６の近接部分２２，２３（図３参照）は、製作精度によっては、少し隙間が開く場合がある。そのため、図４に示すように、左枠部材４は、裏面に目隠し部７を有する。同様に、右枠部材６は、裏面に目隠し部８を有する。図２に示すように、目隠し部７，８は、それぞれ、左枠部材４及び右枠部材６から一段下がって形成されている。よって、目隠し部７，８は、近接部分２２，２３に生じ得る隙間を隠すことができる。
【００４９】
幅部材１１の左右端は、鉄などの金属部（図示せず）を有する。目隠し部７，８は、磁石部（図示せず）を有する。これにより、幅部材１１は、目隠し部７，８に接合する。よって、通常、箱体２は、重力によって回動することなく、枠体３に保持されていることとなる。なお、幅部材１１の左右端が磁石部を有し、目隠し部７，８が金属部を有するようにしても良い。また、このような磁力による接合によって、使用者は、箱体２が所定の位置に配置されたことを確認することができる。
【００５０】
図９は、壁面収容ボックス１が壁面に設置される様子を示す断面図である。まず、壁面１６，１７には、箱体２の背面よりも大きい開口部が形成される。当該開口部は、箱体２の背面が挿入され、かつ、箱体２が回動したとしても箱体２が壁面１６，１７に当たらない程度の大きさを有する。すなわち、当該開口部は、箱体２を回動中心に回動させたときの最大軌道よりも大きくなるように、箱体２の上下に間隙１５，２０を有する。枠体３は、当該開口部の外周で壁面１６，１７に固定される。このようにして、箱体２は、背面が壁面内に埋め込まれ、かつ前面が壁面外に突出するように設置される。
【００５１】
図１０は、箱体２を手前に引いたときの様子を示す断面図である。突出部２１に指を掛けて箱体２を手前に引くと、軸９，１０を中心に、箱体２が回動する。これにより、箱体２の上部開口が視認可能となる。
【００５２】
図１１は、箱体２をさらに手前に引いたときの様子を示す断面図である。箱体２をさらに手前に引くと、軸９，１０は、軸受１３，１４の折れ曲がった部分にずれることになる。軸９，１０がずれた後、箱体２が引き抜かれる。軸９，１０は、箱部材１２の底面の軸受１３，１４を介して、箱体２から離れることとなる。これにより、箱体２が枠体３から抜き取られることとなる。箱体２の内部に、消化器や非常食、地図などの防災用具、マスクや薬、消毒薬などの救急用具、その他の非常用具、又は貴重品などの物品を収容することができる。物品が収容された箱体２は、抜き取られた動作と逆の動作で、枠体２に回動可能に保持される。
【００５３】
なお、上記実施形態では、軸９，１０及び軸受１３，１４のように、二つの軸と軸受を利用して、箱体２が枠体３に保持されることとしたが、これに限られるものではない。本発明において、箱体２の側面の少なくとも一点を中心にして、箱体２が枠体３に回動可能に保持されているのであれば、軸と軸受を利用する構成以外の構成が用いられても良い。たとえば、箱体２の側面に設けられた磁石と枠体３の内側に設けられた磁石との吸着力によって、箱体２が枠体３に回動可能に保持されても良い。なお、軸と軸受が用いられる場合、箱体２が枠体３に回動可能に保持されるには、少なくとも一組の軸と軸受が用いられれば良い。すなわち、回動中心は、少なくとも一点であれば箱体２を壁面から前面に向けて回動させることができる。
【００５４】
なお、上記実施形態では、軸９，１０は、軸受１３，１４から抜き取ることができるようにしたが、これに限られるものではない。軸９，１０は、軸受１３，１４から抜き取ることができなくても良い。すなわち、箱体２は、枠体３から抜き取ることができなくても良い。箱体２が枠体３から抜き取ることができなくても、箱体２の上部開口から、物品を出し入れすることができる。
【００５５】
なお、上記実施形態では、軸受１３，１４を箱部材１２に開けられた孔としたが、穿孔されていない箱部材１２に設けられた溝であってもよい。その他、軸受１３，１４として、周知のあらゆる軸受が利用されても良い。
【００５６】
なお、上記実施形態では、軸受１３，１４は、軸９，１０を保持するために、直角に曲がる形状を有しているが、これに限られるものではない。軸受１３，１４の形状は、箱体２が下に落ちないようになっているのであれば、下側にさらに数度（たとえば、４５度）曲がっていても良い。また、軸受１３，１４は、鉤状に二回折れ曲がっていても良い。
【００５７】
なお、上記実施形態では、箱体２を回動しやすくするために、突出部２１が設けられていた。しかし、突出部２１は無くても、箱体２を回動させることができるので、突出部２１は、無くても良い。また、突出部２１の代わりに、つまみ部や取っ手部が幅部材１１に設けられていても良い。また、枠体３が壁面に設置される際、枠体３の背面を少し嵩上げすることによって、幅部材１１と壁面との間に間隙を設けて、当該間隙に指を差し込むことによって、箱体２を回動しやすくしても良い。また、幅部材１１の上端辺の一部を凹状にして、壁面と幅部材１１との間の間隙を設けて、箱体２を回動しやすくしても良い。このように、突出部２１や、つまみ部、取っ手部等の指掛け手段、壁面との間隙等を壁面収容ボックス１に設けることによって、箱体２を回動しやすくすると良い。
【００５８】
なお、幅部材１１は、箱部材１２の上端辺から迫り出している。しかし、当該迫り出しは、デザイン性向上のために存在するので、当該迫り出しは無くても良い。
【００５９】
なお、目隠し部７，８は無くても良い。目隠し部７，８が無くても、箱体２と枠体３との摩擦力によって、箱体２が重力に従って回動することを防止することができる。
【００６０】
なお、軸９，１０及び軸受１３，１４の位置は、図示したように下部でなくても良い。箱体２の中心付近や箱体の上部に軸９，１０及び軸受１３，１４が設けられていたとしても、枠体３は、箱体２を回動可能に保持することができる。
【００６１】
なお、図１２に示すように、箱部材１２は、前面に、フィルム部材１９を有すると良い。フィルム部材１９は、箱部材１２の下端辺で、箱部材１２に接合されている。フィルム部材１９の上端辺は、箱部材１２に接合されずに、幅部材１１の迫り出し部分に挿入される。フィルム部材１９の上端辺を、迫り出し部分から外して、フィルム部材１９と箱部材１２との間に、写真や絵、カードなどの紙片を挿入することができる。これにより、壁面収容ボックス１は、額縁として兼用されることになる。なお、このような紙片を挿入するための手段は、フィルム部材１９に限られるものではない。紙片挿入手段としては、額縁の技術分野で用いられているあらゆる手段を用いることができる。また、左右上下どのような方向から紙片が挿入されても良い。また、フィルム部材１９は、箱部材１２に接合されておらず、スライドして、紙片を保持するようにしても良い。
【００６２】
なお、図１３に示すように、箱部材１２の前面下端辺は、丸み部１２ｃを有すると良い。これにより、箱体２が回動した際の軌道を最小限にすることができるので、間隙１５を狭くすることができる。その結果、壁面の開口をできるだけ小さくすることができる。壁面の開口をできるだけ小さくすることができれば、箱体２をできるだけ大きくすることができるので、箱体２の容量を大きくすることができる。
【００６３】
なお、幅部材１１及び／又は枠体３は、少なくとも一部に蓄光処理が施された蓄光部を含むと良い。これにより、暗がりでも、壁面収容ボックス１の位置を視認することができる。また、箱体２の少なくとも一部（たとえば、前面など）に蓄光部が含まれていても良い。
【００６４】
なお、壁面外に突出する箱体２の部分を大きくすれば、箱体２の容量を大きくすることができる。
【００６５】
図１４は、箱体２の変形例を示す断面図である。図１４に示すように、幅部材１１は、箱体２の前面に指先大に突出していると良い。これにより、非常時に、箱体２を持ち出す際、箱体２を抜き取りやすくなる。なお、デザイン上の観点から、この場合、左枠部材４、下枠部材５、及び右枠部材６も、幅部材１１と同様に前面に突出していると良いが、突出していなくても良い。
【００６６】
また、図１４では、箱部材１２の背面に、蝶番１２ｃを介して蓋１２ｄが接続されている。蓋１２ｄは、磁石部１２ｅを含む。箱部材１２の背面の一部は、金属又は磁石部を有する。逆に、蓋１２ｄが金属で、箱部材１２の背面が磁石であっても良い。箱部材１２を、図１４の想像線で示すように、蓋をすることができる。蓋をしない場合は、蓋１２ｄは、箱部材１２に固定されている。箱体２が壁面に収容されているときに、蓋がされても良いし、箱体２が持ち出された時に蓋がされても良い。また、蓋１２ｄが箱部材１２の開口を閉じた際、箱部材１２と蓋１２ｄとが吸着するように、箱部材１２の開口部分に磁石や金属が設けられていても良い。なお、蓋１２ｄは、背面だけでなく、側面に設けられていても良い。
【００６７】
また、図１４では、箱部材１２の内側にフィルム部材１９ａを有する。フィルム１９ａは、箱部材１２の内側において、上端辺が開くように接合されている。このフィルム１９ａ内に、保険証やお金などの貴重品を収容することができる。非常時に箱体２を持ち出す際に、貴重品が落ちるのが防止される。なお、保険証やお金などのような紙片を挿入するための手段は、フィルム部材１９ａに限られるものではない。紙片挿入手段としては、紙片を収容するためのあらゆる手段を用いることができる。また、左右上下どのような方向から保険証やお金などの紙片が挿入されても良い。また、フィルム部材１９ａは、箱部材１２に接合されておらず、スライドして、保険証やお金などの紙片を保持するようにしても良い。
【００６８】
図１５は、本発明の他の実施形態に係る壁面収納ボックス１ａの分解斜視図である。図１５において、図２に記載の壁面収納ボックス１と同様の機能を有する部分は、同一の参照符号を付して、説明を省略する。枠体３は、上枠部材２６を含む。上枠部材２６は、左枠部材４及び右枠部材６の上端と連接している。幅枠部材１１及び上枠部材２６は、錠部２４，２５を有する。錠部２４，２５は、ダイヤル錠、指紋認証、カード式錠、暗証番号式錠など周知のあらゆる錠手段によって構成される。そのため、図１５において、錠部２４，２５の具体的構成については、記載を省略する。枠体３は、背面に前面が開口したボックス部３０を連接している。ボックス部３０は、間柱２７，２８及び貫２９に対して、ボックス部３０の内側からビスなどによって固定される。このように、枠体３を壁面内の柱に固定して、箱体２を錠２４，２５によって枠体３に固定することによって、壁面収納ボックス１ａは、金庫、セーフティボックス、及びセキュリティボックスとして、利用可能となる。この場合、箱体２に、貴重品が収容されると良い。壁面収納ボックス１ａを持ち出すには、枠体３を壁面内の柱から取り外す必要がある。よって、壁面収納ボックス１ａを盗み出すことは、困難となる。このような壁面収納ボックス１ａは、ホテルの客室や自宅、会社などに設置されると良い。なお、金庫等として利用しなくても良いのであれば、錠部２４，２５を設けずに、外枠３にボックス部３０を設けるだけの構成であっても良い。
【００６９】
このように、本実施形態では、箱体２は、背面が壁面に埋め込まれ、前面が壁面外に突出して設置される。したがって、壁面内の幅（図９における壁面１６，１７と壁面１８との間）が狭いような場合であったとしても、壁面外に突出している部分だけ容量を確保することができる。よって、薄い壁であったとしても、できるだけ多くの物品を収納することができる壁面収納ボックス１，１ａが提供されることとなる。なお、薄い壁以外にも、本実施形態の壁面収納ボックス１，１ａが利用可能であることは言うまでもない。
【００７０】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００７１】
本発明は、収納器具などの分野において利用可能である。
【符号の説明】
【００７２】
１，１ａ  壁面収容ボックス
２  箱体
３  枠体
４  左枠部材
５  下枠部材
６  右枠部材
７，８  目隠し部
９，１０  軸
１１  幅部材
１２  箱部材
１２ａ，１２ｂ  くさび状部材
１２ｃ  蝶番
１２ｄ  蓋
１２ｅ  磁石部
１３，１４  軸受
１５，２０  間隙
１６，１７，１８  壁面
１９，１９ａ  フィルム部材
２１  突出部
２２，２３  近接部分
２４，２５  錠部
２６  上枠部材
２７，２８  間柱
２９  貫
３０  ボックス部
【図１】
2010265615.tif 000003
【図２】
2010265615.tif 000004
【図３】
2010265615.tif 000005
【図４】
2010265615.tif 000006
【図５】
2010265615.tif 000007
【図６】
2010265615.tif 000008
【図７】
2010265615.tif 000009
【図８】
2010265615.tif 000010
【図９】
2010265615.tif 000011
【図１０】
2010265615.tif 000012
【図１１】
2010265615.tif 000013
【図１２】
2010265615.tif 000014
【図１３】
2010265615.tif 000015
【図１４】
2010265615.tif 000016
【図１５】
2010265615.tif 000017